(57)【特許請求の範囲】
【請求項１】
径の異なる複数の金属製ポールをスライド自在に重合した金属製伸縮ポールの内部にドライブコードを配設し、このドライブコードを繰出駆動装置の作動により繰り出し・引き取ることによって前記伸縮ポールが伸縮するように構成し、この伸縮ポールの伸長時の先端部に発光部を設け、この発光部への給電手段として前記ドライブコード内に設けた芯線と、前記伸縮ポール自体とを用いた車両用伸縮ポールの点灯装置において、前記繰出駆動装置を設けた本体部の嵌合取付部に差し込み嵌合連結され、前記伸縮ポールを収納する収納管体の差し込み部周面に内部と連通する取付孔部を設け、この取付孔部から内部に迫り出して前記金属製伸縮ポールの外面に弾圧接触する金属接触板材を前記嵌合取付部と前記収納管体の差し込み部との間に介在配設し、この金属接触板材の端部若しくはこの金属接触板材と導通状態に設けた接触端部を外出端部として前記嵌合取付部の上端部から外部に導出露出させて、この外出端部をアース端に接続するように構成し、前記嵌合取付部にガイド凹部を設け、前記収納管体の差し込み部に前記ガイド凹部に差し込み嵌合するキー状凸部を設け、前記金属接触材の前記嵌合取付部の上端部から外部に露出配設した前記外出端部を前記ガイド凹部の外面に配設して前記嵌合取付部と前記収納管体との嵌合を止着固定するビスによりこの外出端部とアース端とを接続固定したことを特徴とする車両用伸縮ポールの点灯装置。
【請求項２】
前記金属接触板材は、金属板で形成し、この金属板を折曲加工し前記取付孔部に嵌入して前記収納管体の内部に迫り出し、前記伸縮ポールの外面に板バネ作用により弾圧接触するく字状部を形成すると共に、端部を折り返して前記嵌合取付部と前記収納管体との嵌合部の外部に導出露出して前記収納管体の前記ガイド凹部外面に配設する前記外出端部を設け、この外出端部にアース端を接続するように構成したことを特徴とする請求項１記載の車両用伸縮ポールの点灯装置。
【請求項３】
前記金属接触板材の前記く字状部間に割溝を設けて前記く字状部による接触安定性を高めた構成としたことを特徴とする請求項２記載の車両用伸縮ポールの点灯装置。
【発明の詳細な説明】
【０００１】
【発明の属する技術分野】
本発明は、例えば自動車の車幅を表示するコーナーポールなどの車両用伸縮ポールの点灯装置に関するものである。
【０００２】
【従来の技術及び発明が解決しようとする課題】
自動伸縮するコーナーポールは、例えば直径が徐々に異なる複数の金属製パイプを抜け止め状態にして順次スライド自在に多重嵌合した金属製伸縮ポールの内部にドライブコードを配設し、このドライブコードの先端を伸縮ポールの最先端の金属製パイプに連結し、可逆モータなどからなる繰出駆動装置の作動によりこのドライブコードを繰り出し・引き取ることによって前記伸縮ポールを伸縮させるように構成したものである。
【０００３】
また、このポールの先端には少なくとも伸長時に点灯させるＬＥＤなどの発光部が設けてあり、この発光部の給電手段は、プラス側にドライブコードの内部に通した導電性の芯線を用い、アース側にはポール自体を用い、このポールからアースリードへアースする構成としている。
【０００４】
従って、従来のコーナーポールの発光部への給電におけるアース接続は、伸縮ポール自体を用いるため、リード線の引き出し構造が複雑となったり、断線や接触不良が生じ易い問題があった。
【０００５】
本発明は、このような問題点に着目し、簡易な構造改良により、取り付けが容易で確実にポール自体からアースリードに接続され、前記問題点を解決し得る画期的な車両用伸縮ポールの点灯装置を提供するものである。
【０００６】
【課題を解決するための手段】
添付図面を参照して本発明の要旨を説明する。
【０００７】
径の異なる複数の金属製ポール１Ａをスライド自在に重合した金属製伸縮ポール１の内部にドライブコード２を配設し、このドライブコード２を繰出駆動装置３の作動により繰り出し・引き取ることによって前記伸縮ポール１が伸縮するように構成し、この伸縮ポール１の伸長時の先端部に発光部４を設け、この発光部４への給電手段として前記ドライブコード２内に設けた芯線５と、前記伸縮ポール１自体とを用いた車両用伸縮ポールの点灯装置において、前記繰出駆動装置３を設けた本体部ａの嵌合取付部６に差し込み嵌合連結され、前記伸縮ポール１を収納する収納管体７の差し込み部周面に内部と連通する取付孔部８を設け、この取付孔部８から内部に迫り出して前記金属製伸縮ポール１の外面に弾圧接触する金属接触板材９を前記嵌合取付部６と前記収納管体７の差し込み部との間に介在配設し、この金属接触板材９の端部９Ａ若しくはこの金属接触板材９と導通状態に設けた接触端部９Ａを外出端部９Ａとして前記嵌合取付部６の上端部から外部に導出露出させて、この外出端部９Ａをアース端10に接続するように構成し、前記嵌合取付部６にガイド凹部28を設け、前記収納管体７の差し込み部に前記ガイド凹部28に差し込み嵌合するキー状凸部29を設け、前記金属接触材９の前記嵌合取付部６の上端部から外部に露出配設した前記外出端部９Ａを前記ガイド凹部28の外面に配設して前記嵌合取付部６と前記収納管体７との嵌合を止着固定するビス34によりこの外出端部９Ａとアース端10とを接続固定したことを特徴とする車両用伸縮ポールの点灯装置に係るものである。
【０００８】
また、前記金属接触板材９は、金属板で形成し、この金属板を折曲加工し前記取付孔部８に嵌入して前記収納管体７の内部に迫り出し、前記伸縮ポール１の外面に板バネ作用により弾圧接触するく字状部９Ｂを形成すると共に、端部を折り返して前記嵌合取付部６と前記収納管体７との嵌合部の外部に導出露出して前記収納管体７の前記ガイド凹部28外面に配設する前記外出端部９Ａを設け、この外出端部９Ａにアース端10を接続するように構成したことを特徴とする請求項１記載の車両用伸縮ポールの点灯装置に係るものである。
【０００９】
また、前記金属接触板材９の前記く字状部９Ｂ間に割溝９Ｃを設けて前記く字状部９Ｂによる接触安定性を高めた構成としたことを特徴とする請求項２記載の車両用伸縮ポールの点灯装置に係るものである。
【００１０】
【発明の実施の形態】
好適と考える本発明の実施の形態（発明をどのように実施するか）を、図面に基づいてその作用効果を示して簡単に説明する。
【００１１】
前記収納管体７の嵌合周面に設けた取付孔部８にく字状部９Ｂを嵌合させて金属接触板９を配して収納管体７を嵌合取付部６に嵌合連結すると、前記く字状部９Ｂは取付孔部８より内側へ迫り出し、収納管体７内に収納した金属製伸縮ポール１に弾圧接触する。
【００１２】
また、この金属接触板材９の外出端部９Ａは、この嵌合部より外部へ露出した状態で固定されているため、この外出端部９Ａに例えばアースリード10を接続すれば、アースリード10と金属製伸縮ポール１とが金属接触板材９を介して確実に電気的に接続され、簡単にして確実にアース側の接続がなされることとなる。
【００１３】
【実施例】
本発明の具体的な実施例について図面に基づいて説明する。
【００１４】
本実施例は、車内からの遠隔操作によって繰出駆動装置３を作動させて自動的に前記伸縮ポール１を伸縮させ、伸長時に先端部の前記発光部４に自動給電されて点灯するコーナーポールであって、本体部ａをバンパー11内に格納取り付けし、伸縮ポール１をバンパー11の取付孔12から上方へ伸長突出するようにしたものに本発明を適用している。
【００１５】
先ず、このコーナーポールの概略構成について説明する。
【００１６】
車両のバンパー11内に格納状態に取り付け固定される本体ケース13内に可逆可能なモータ14を駆動源とする繰出駆動装置３が設けられている。
【００１７】
この繰出駆動装置３は次のような構成である。
【００１８】
前記モータ14の回転軸15に設けたウォーム16と噛合するウォームホイール17に小歯車18を設け、この小歯車18に噛合する大噛合19を設け、この大噛合19にピニオン20を設けている。
【００１９】
このピニオン20を本体ケース13内に（ガイド部に）沿うように導入されるドライブコード２の外面に形成したラック歯21と噛合するように構成している。
【００２０】
従って、モータ14を回転させると、前記ウォームなどの回転伝達機構を介してピニオン20が回転してドライブコード２を上方へ向かって繰り出し、これにより伸縮ポール１が伸長し、逆方向にモータ14を回転させると、今度はドライブコード２がケース13内に周回するようにして引き取られ、伸縮ポール１が縮小するように構成している。
【００２１】
本実施例では、この本体ケース13に前記ドライブコード２の導入口となる筒状の嵌合取付部６を上方に向けて一体に突設し、この嵌合取付部６に筒状の収納管体７を圧入差し込み連結し、この収納管体７内に金属製伸縮ポール１を最も外側のポール１Ａを抜き出し不能に収納するように構成している。
【００２２】
この収納管体７の上端部は、バンパー11に設けた取付孔12に位置させ、収納管体７の上端部に螺着する締付環22と、収納管体７に螺着されてる受締付環23とで受環25を介してバンパー11を押さえ込み、本体部ａと収納管体７とを強固に位置決め固定するように構成し、金属製伸縮ポール１はこの取付孔12から上方へ伸長突出するように構成している。
【００２３】
また、本実施例は、車両の機種の違いなどによる本体部ａの取り付け位置や取り付けスペースの違いなどに対応して長さや形状の異なる収納管体７を複数種類用意しておき、機種に合わせてこの収納管体７を選択し（本体部ａと取付孔12との距離に合致した長さのものを選択し）、この収納管体７を嵌合取付部６に圧入差し込み嵌合するように構成している。
【００２４】
次に本発明の発光部４への給電手段について説明する。
【００２５】
前述のようなコーナーポールの先端部には発光部４が設けられ、この発光部４の給電手段はドライブコード２の内部を通した導電性の芯線５をプラス側とし、金属製伸縮ポール１自体をアース側として用いる。
【００２６】
このプラス側となる芯線５の端部は、ドライブコード２の末端に被嵌した金属キャップ24と接続され、このコード２の末端の金属キャップ24は、コード２が前述のように上方へ繰り出され金属製伸縮ポール１が最も伸長したときにケース13内に設けた図示していない接触子に弾圧接触し、コントローラへ配線されるプラス線に電気的に接続されるように構成している。
【００２７】
一方、アース側として用いる金属製伸縮ポール１自体は、コントローラへ配線されるアース側の端子であるアースリード10と接続されるが、簡単にして確実にこのアース接続がなされる構造としている。
【００２８】
以下、本発明の要旨となる本実施例のこのアース接続構造を詳述する。
【００２９】
前記繰出駆動装置３を収納した本体ケース13から突出した筒状の嵌合連結部６に差し込み連結され、前記伸縮ポール１を収納する収納管体７の差し込み部周面に内部と連通する長溝状の取付孔部８を設けている。
【００３０】
この取付孔部８にく字状部９Ｂを嵌入させてく字状部９Ｂが内部に迫り出し、前記伸縮ポール１の外面に弾圧接触し得る金属接触板材９を収納管体７の差し込み部周面と前記嵌合取付部６との間に介在配設し、この金属接触板材９の端部９Ａを外出端部９Ａとして前記嵌合部の外部に導出露出せしめ、この外出端部９Ａをアース接続端としている。
【００３１】
本実施例では、前記金属接触板材９を一枚の薄帯板状の金属板で形成し、この金属板を折曲加工して前記く字状部９Ｂを形成すると共に、外部へ導出する端部を折り返して前記嵌合取付部６と前記収納管体７との嵌合部の外部に導出露出させて前記外出端部９Ａを設け、この外出端部９Ａにアース端10を接続するように構成している。
【００３２】
従って、本実施例は、長溝状の取付孔部８に帯板状のく字状部９Ａを嵌合させて金属接触板９を位置決めさせた上で単に収納管体７を嵌合取付部６に差し込み嵌合連結するだけで、前記く字状部９Ｂは取付孔部８より内側へ迫り出し、収納管体７内に収納した金属製伸縮ポール１に板バネ作用により弾圧接触し、確実にポール１外面に適正な接触圧でガタ付きなく、接触不良を起たさず電気的に接続される。
【００３３】
また、この金属接触板材９の外出端部９Ａは、この嵌合部より外部へ露出した状態で固定されるため、この外出端部９Ａにアースリード10を接続すれば、アースリード10と金属製伸縮ポール１とが金属接触板材９を介して確実に電気的に接続され、簡単にして確実にアース接続がなされ、接触位置の精度向上による接続信頼性の向上が図れることとなる。
【００３４】
更に、具体的には、嵌合取付部６並びに収納管体７の嵌合部内周面に金属接触板材９が位置決め係合する板厚程度の凹段部27が形成されている。
【００３５】
また、この嵌合取付部６には、差し込みガイド凹部28が周面から突設形成されており、また、収納管体７の差し込み部周面にはこの差し込みガイド凹部28に差し込み嵌合するキー状凸部29が設けられ、所謂このキー嵌合作用により、ガイドされつつ回り止め状態に収納管体７を嵌合取付部６に差し込み嵌合するように構成している。
【００３６】
本実施例では、前記金属接触板材９の外出端部９Ａをこの突出した差し込みガイド凹部28の外側面並びに外側上面に当接する形状となるように折曲形成し、前記金属接触板材９を取付孔部８に位置決めて収納管体７を嵌合取付部６に差し込むだけで、外出端部９Ａの末端が常に丁度差し込みガイド凹部28の外側上面位置に当接配設するように構成している。
【００３７】
また、更に、この外出端部９Ａと差し込みガイド凹部28の上面とに合致したビス孔（取付孔）30・31を設け、更に差込ガイド凹部28のビス孔31に合致した位置に取付孔32を設け、同様に取付孔33を設けたアースリード10の接続末端を当てがい、ビス34を取付孔33・30・31・32へと差し込み螺着することで収納管体７と嵌合取付部６との嵌合を止着固定すると共に、外出端部９Ａとアースリード10とを接続固定するように構成している。
【００３８】
従って、本実施例は、金属接触板材９を取付孔部８に位置決めて収納管体７を嵌合取付部６に所定の差し込み可能な向きで差し込むだけでビス止め位置が決まり、そしてビス止め固定するだけで、確実に金属接触板材９にアースリード10を接続固定でき、アース側の接続が完了することとなる。
【００３９】
尚、本実施例では、収納管体７を嵌合取付部６に差し込み連結する構成のため、内側に位置する収納管体７に金属接触板材９のく字状部９Ｂを迫り出し係合する取付孔部８を開口形成する。
【００４０】
また、図６に示すように金属接触板材９のく字状部９Ｂに割溝９Ｃを設けた構成として接触安定性を一層高めるように構成しても良い。
【００４１】
【発明の効果】
本発明は上述のように構成したから、金属製伸縮ポールを収納した収納管体の周面部に金属接触板材を位置決めてこの収納管体を、本体部に設けたドライブコードの導入口となる嵌合取付部に差し込み嵌合連結するだけで、収納管体に設けた取付孔部から内側へ金属接触板材がせり出していることで金属製伸縮ポールに金属接触板材が弾圧接触して電気的に接続され、しかもこの金属接触板材の外出端部が外部に露出することとなり、この外出端部に例えばアース端子を接続するだけで簡単にアース接続が完了することとなり、しかも前記嵌合取付部にガイド凹部を設け、前記収納管体の差し込み部に前記ガイド凹部に差し込み嵌合するキー状凸部を設け、前記金属接触材の前記嵌合取付部の上端部から外部に露出配設した前記外出端部を前記ガイド凹部の外面に配設して前記嵌合取付部と前記収納管体との嵌合を止着固定するビスによりこの外出端部とアース端とを接続固定したから製作が容易で、また、その接続も信頼性が高く、断線や接触不良も生じにくい画期的な車両用伸縮ポールの点灯装置となる。
【００４２】
即ち、本発明においては、単に金属接触板材を取付孔部に位置決めて収納管体を嵌合取付部に差し込み嵌合するだけで、前記作用・効果を生じ、製作も容易でコストもかからず、量産性も向上する極めて画期的な車両用伸縮ポールの点灯装置となる。
【００４３】
また、請求項２記載の発明においては、金属接触板材も板材を折曲加工するだけで良い構成であるため、部品点数も極力少なくてすむ極めて画期的な車両用伸縮ポールの点灯装置となる。
【００４４】
また、請求項３記載の発明においては、金属接触板材のく字状部による接触安定性が一層高まることとなる。
【図面の簡単な説明】
【図１】本実施例の要部の分解説明斜視図である。
【図２】本実施例の組み付け状態の要部の説明斜視図である。
【図３】本実施例の組み付け状態の配線構造を示す説明正面図である。
【図４】本実施例の使用状態における説明構成正断面図である。
【図５】本実施例の使用状態を示す説明図である。
【図６】金属接触板材に割溝を設けた場合を示す第二実施例の説明斜視図である。
【符号の説明】
１  金属製伸縮ポール
１Ａ  金属製ポール
２  ドライブコード
３  繰出駆動装置
４  発光部
５  芯線
６  嵌合取付部
７  収納管体
８  取付孔部
９  金属接触板材
９Ａ  端部，接触端部，外出端部
９Ｂ  く字状部
９Ｃ 割溝
10  アース端
ａ  本体部
28 ガイド凹部
29 キー状凸部
34 ビス
【図１】
0003540537.tif 000002
【図２】
0003540537.tif 000003
【図３】
0003540537.tif 000004
【図４】
0003540537.tif 000005
【図５】
0003540537.tif 000006
【図６】
0003540537.tif 000007